(57)【要約】 【課題】ダイカッターロールとアンビルロールにて段ボールを切断する加工において、ダイカッターロールにダイカッター木型を取り付ける際に専用金具、ビスが必要である。また切断する形状１つに対して、専用のダイカッター木型が必ず必要であり、専用ダイカッター木型の脱着には長時間を要した。【解決手段】    ダイカッター木型２の両端は所定角度αに形成してあり、ダイカッターロール３に取り付けてあるリングホルダー１に合致させ、リングホルダー１にスライドさせて固定するようにした。このことによりビスを使わずにダイカッター木型２の脱着が容易になり脱着時間の低減ができる。また固定方法がスライドさせ専用アタッチメントで固定するので、一つのダイカッター木型２を反転して使用する事が可能になった。また別のダイカッター木型と組み合わせて使用することが出来る。このことにより複数のダイカッター木型を組み合わすことにより寸法変更が可能になり、専用型を作る必要がなくなり製作費の削減ができる。【選択図】  図２
2010076077.tif 000002
【特許請求の範囲】
【請求項１】
円弧状の板状体の外装表面にトムソン刃を設けたダイカッター木型（２）を取り付けたダイカッターロール（３）と対を成して平行に架設する平滑な外装表面を持つアンビルロール（４）の組み合わせからなり、回転するアンビルロール（４）と外装表面にダイカッター木型（２）を設けたダイカッターロール（３）間を通過する段ボールにダイカッター木型（２）を押圧し段ボール材を切断する加工において、前記ダイカッター木型（２）の左右両端は所定角度（α）に形成してあり、ダイカッターロール（３）に取り付けられたリングホルダー（１）にスライドさせて位置決めを行ない、前記リングホルダー（１）の内周部は前記ダイカッター木型（２）の両端に合致するように所定角度（α）に加工されており、ダイカッター木型（２）をスライドさせ、アタッチメント（５）をビスで固定し、ダイカッターロール（３）の円周上の任意の位置にダイカッター木型（２）を位置決めすることができるとともに、脱着も容易であることを特徴とする段ボール加工装置。
【請求項２】
前記ダイカッター木型（２）を１８０度反転させて使用することにより、ダイカッ
ター木型刃物間寸法（６）を変更出来る事を特徴とする請求項１に記載の段ボール
加工装置。
【請求項３】
前記リングホルダー（１）にはダイカッター木型投入口（８）の切り欠きを設けた
事を特徴とする請求項１，２のいずれか１項に記載の段ボール加工装置。
【請求項４】
前記リングホルダー（１）の外面部はリング横移動用板（９）で固定されており、
移動板用ネジ軸（１０）を回動させる事により横方向への任意の位置決めが容易で
ある事を特徴とする請求項１〜３のいずれか１項に記載の段ボール加工装置。
【発明の詳細な説明】
【技術分野】
【０００１】
本発明は、段ボールシートに印刷、罫線加工、抜き加工等を連続して行う段ボール加
工装置において、抜き加工を行うダイカッター装置におけるダイカッター木型の取り
付けに関する。
【背景技術】
【０００２】
従来のダイカッター木型は特許文献１に記載されている通り、ダイカッターロールへ
の固定方法が専用金具もしくはビスで行われている。また固定方法が専用金具もしく
はビスのため基本的に１つの規定の切断寸法に対して１つの専用ダイカッター木型が
必要になっていた。
【特許文献１】特開平２−５３５９４
【発明の開示】
【発明が解決しようとする課題】
【０００３】
上述のようにダイカッター木型を専用金具又はビスでダイカッターロールに固定する
には長時間を要し、さらに、専用金具又はビスを使用するため、１つの規定の断寸法
に対して１つの専用ダイカッター木型が必要となり、高価なダイカッター木型を多数
保有しなければならないという課題があった。
【課題を解決するための手段】
【０００４】
上記課題を解決するために、本発明は、円弧状の板状体の外装表面にトムソン刃を設けたダイカッター木型を取り付けたダイカッターロールと対を成して平行に架設する平滑な外装表面を持つアンビルロールの組み合わせからなり、回転するアンビルロールと外装表面にダイカッター木型を設けたダイカッターロール間を通過する段ボールにダイカッター木型を押圧し段ボール材を切断する加工において、前記ダイカッター木型の左右両端は所定角度に形成してあり、ダイカッターロールに取り付けられたリングホルダーにスライドさせて位置決めを行ない、前記リングホルダーの内周部は前記ダイカッター木型の両端に合致するように所定角度に加工されており、ダイカッター木型をスライドさせ、アタッチメントをビスで固定し、ダイカッターロールの円周上の任意の位置にダイカッター木型を位置決めすることができるとともに、脱着も容易に行えるようにした段ボール加工装置である。
【０００５】
さらに、前記ダイカッター木型を１８０度反転させて使用することにより、ダイカッター木型刃物間寸法を変更出来るようにしたので、多数の専用ダイカッター木型を保有する必要が無い。また、前記リングホルダーにはダイカッター木型投入口の切り欠きを設けたので、ダイカッター木型のダイカッターロールへの取付けが容易に行える。そして、前記リングホルダーの外面部はリング横移動用板で固定されており、移動板用ネジ軸を回動させる事により横方向への任意の位置決めも容易に行えるようにしたものである。
【発明の効果】
【０００６】
本発明による段ボール切断加工ダイカッター装置のダイカッター木型取り付け装置によれば、従来のようにダイカッター木型をビス等で固定するのでなく、リングホルダーにて固定するのでダイカッターロールの円周上のどの位置にも自由に位置決めができる。また数種類のダイカッター木型と組み合わせて使用することが出来、ダイカッター木型の刃物間寸法が自由に変更できるので、ダイカッター木型の保有数が削減できる。又、リングホルダーからの脱着が容易に出来、従来のビスで固定するタイプのダイカッター木型も使用可能である。
【発明を実施するための最良の形態】
【０００７】
本発明の実施形態について図面に基づき説明する。ダイカッターユニットは、図１のように上部にアンビルロール（４）を軸支し、そのアンビルロール（４）の下部に、前記アンビルロール（４）に併設し、対を成してダイカッターロール（３）が軸支されている。ダイカッターロール（３），アンビルロール（４）は互いにモーター（図示せず）の駆動により、反対方向に回転するようになっている。
【０００８】
このダイカッターロール（３）の周面部分にリングホルダー（１）が４輪取り付けてある。このリングホルダー（１）は２輪１組として使用する。このリングホルダー（１）は両端をリング横移動用板（９）で固定しており、このリング横移動用板（９）は移動板用ネジ軸（１０）を回動させる事によって横移動し、任意の位置への位置決めを行う。前記リングホルダー（１）はダイカッターロール（３）に同芯上に取り付けられている。
【０００９】
以下、図２〜図７に基づき、ダイカッター木型の使用方法について詳述する。前記リ
ングホルダー（１）とダイカッター木型（２）は図３及び図４に示すようにリングホ
ルダー（１）、ダイカッター木型（２）の両端は所定角度（α）に形成している。前
記リングホルダー（１）は図２のように１組のリングホルダー（１）の対向する面の
一部を切り欠き、ダイカッター木型投入口（８）を設けている。前記ダイカッター木
型投入口（８）からダイカッター木型（２）を投入し、図７に示すように円周方向に
スライドさせ木型位置決め用目盛り（７）を使用し所定の位置へセットする。前記木
型位置決め用目盛り（７）は１組のリングホルダー（１）の左右いずれかに目盛りを
刻印してもよく、両方に刻印してもよいものである。
【００１０】
なおダイカッター木型（２）の固定方法については図２で示すようにアタッチメント
（５）をダイカッター木型（２）に押し当てて、前記アタッチメント（５）をダイカッ
ターロール（３）にアタッチメント用ボルト（５ａ）で固定する。符号１１はダイカ
ッター木型（２）に固着させたダイカッター木型刃であり、このダイカッター木型刃（１１）によって、段ボールシートに抜き加工を行なう。
【００１１】
またダイカッター木型（２）は左右対称であり、このダイカッター木型（２）の取付方法は図２、図７のようにリングホルダー（１）のダイカッター木型投入口（８）よりダイカッター木型（２）を挿入し、リングホルダー（１）の円周方向にスライドさせて保持しているので、ダイカッター木型（２）は１８０度反転して使用することができる。所定のダイカッター木型刃物間寸法（６）を必要とする場合、図５のようにダイカッター木型（２ａ）とダイカッター木型（２ｂ）を組み合わせて使用する。
【００１２】
また、別途所定のダイカッター木型刃物間寸法（６）を必要とする場合は、図５のダイカッター木型（２ａ）を１８０度反転させて、ダイカッター木型（２ｂ）と組み合わせて使用することによって、図６のように所望のダイカッター木型刃物間寸法（６）を得ることが出来る。
【００１３】
図８に基づき、本発明の実施形態について説明する。図８は段ボール加工機の概略図を示しており、Ａは給紙ユニット、Ｂ・Ｃ・Ｄ・Ｅは印刷ユニット、Ｆは本発明の対象となる段ボール加工装置である。
【産業上の利用可能性】
【００１４】
ダイカッターロールに取付けたリングホルダーと両端を一定角度に加工された左右対称のダイカッター木型を利用することにより、ダイカッター木型の固定方法が容易にでき、ダイカッター木型も反転して使用する事が出来るため、専用ダイカッター木型でなく兼用ダイカッター木型として利用できる。
【図面の簡単な説明】
【００１５】
【図１】本発明に係る段ボール加工装置の斜視図である。
【図２】同じく、ダイカッター木型の固定状態を示す正面図である。
【図３】図２のＸ−Ｘにおける矢視図である。
【図４】図３のＹ部拡大図である。
【図５】本発明に係るダイカッター木型の取付状態を示す側面図である。
【図６】同じく、本発明に係るダイカッター木型の取付状態を示す他の実施例の側面図である。
【図７】本発明に係るダイカッター木型の位置決め状態を示す斜視図。
【図８】段ボール加工機の概要を示す側面図
【符号の説明】
【００１６】
１ リングホルダー
２ ダイカッター木型
３ ダイカッターロール
４ アンビルロール
５ アタッチメント
５ａアタッチメント用ボルト
６ ダイカッター木型刃物間寸法
７ 木型位置決め用目盛り
８ ダイカッター木型投入口
９ リング横移動用板
１０ 移動板用ネジ軸
１１ ダイカッター木型刃
α   所定角度
【図１】
2010076077.tif 000003
【図２】
2010076077.tif 000004
【図３】
2010076077.tif 000005
【図４】
2010076077.tif 000006
【図５】
2010076077.tif 000007
【図６】
2010076077.tif 000008
【図７】
2010076077.tif 000009
【図８】
2010076077.tif 000010